(57)【要約】【課題】例えば、米国の地上デジタル放送のように、現在地が属するコミュニティを一意に特定できない場合において、現在地で受信可能なチャンネルをできるだけ速やかに判別することができる。【解決手段】コミュニティ指定部５１は、現在地が属しているとユーザが考えるコミュニティを選択するものとする。選局部５２は、放送チャンネルリスト２１を参照することにより、指定されたコミュニティに所属するステーションのチャンネルを選局するように受信部１５を制御する。重複リスト生成部５３は、選局部５２からの制御に従い、隣接コミュニティリスト２２を参照して重複リストを生成する。受信チャンネルリスト生成部５４は、選局部５２からの制御に従い、受信チャンネルリスト２３を生成してメモリ１３に保持させる。本発明は、例えば、携帯型テレビジョン受像機に適用できる。【選択図】図８
2010147782.tif 000002
【特許請求の範囲】
【請求項１】
選局されたチャンネルの放送信号を受信する受信手段と、
１チャンネル以上の前記放送信号が受信可能とされている範囲を示すコミュニティ毎に、前記コミュニティにおいて放送されている１以上のチャンネルと、前記１以上のチャンネルのうちの代表チャンネルを示す情報とが記録されている放送チャンネルリスト、および、前記各コミュニティに対して、重複領域を有して隣接している隣接コミュニティを示す隣接コミュニティリストを保持する保持手段と、
前記コミュニティを指定する指定手段と、
指定された前記コミュニティおよび前記指定された前記コミュニティに隣接する隣接コミュニティをリストアップした重複リストを生成する重複リスト生成手段と、
前記受信手段に受信させるチャンネルを選局し、選局したチャンネルの放送信号の受信の可否を判定する選局手段と、
前記重複リストにリストアップされた前記コミュニティにおいて放送されているチャンネルの放送信号の受信の可否の判定結果に基づき、受信可能なチャンネルを示す受信チャンネルリストを生成する受信チャンネルリスト生成手段と
を含む受信装置。
【請求項２】
前記代表チャンネルは、前記コミュニティ内で受信可能範囲が最も広いチャンネルである
請求項１に記載の受信装置。
【請求項３】
前記重複リスト生成手段は、さらに、前記代表チャンネルの放送信号が受信できない前記隣接コミュニティを前記重複リストから削除する
請求項２に記載の受信装置。
【請求項４】
前記隣接コミュニティリストには、前記各コミュニティに対して、前記重複領域が広い順に前記隣接コミュニティが記載されている
請求項２に記載の受信装置。
【請求項５】
前記指定手段は、ユーザ選択操作に応じて前記コミュニティを指定する
請求項２に記載の受信装置。
【請求項６】
直前において前記放送信号が受信可能であったチャンネル、直前に前記放送信号を受信していたチャンネル、過去における受信頻度が高い前記コミュニティの前記代表チャンネル、過去における受信頻度が高いチャンネル、または全ての前記コミュニティにおいてアサイン率が高いチャンネルのうち、少なくとも１つをリストアップして初期探索リストを作成する初期探索リスト生成手段をさらに含み、
前記指定手段は、初期探索リストにリストアップされている前記チャンネルに対応する前記コミュニティを指定する
請求項２に記載の受信装置。
【請求項７】
前記指定手段は、初期探索リストにリストアップされている前記チャンネルの放送信号に含まれるコミュニティ識別情報に基づいて、前記コミュニティ識別情報を指定する
請求項６に記載の受信装置。
【請求項８】
前記重複リスト生成手段は、さらに、前記代表チャンネルの放送信号が受信できた前記隣接コミュニティに対する隣接コミュニティでもある隣接コミュニティ以外を前記重複リストから削除する
請求項２に記載の受信装置。
【請求項９】
選局されたチャンネルの放送信号を受信する受信手段と、
１チャンネル以上の前記放送信号が受信可能とされている範囲を示すコミュニティ毎に、前記コミュニティにおいて放送されている１以上のチャンネルと、前記１以上のチャンネルのうちの代表チャンネルを示す情報とが記録されている放送チャンネルリスト、および、前記各コミュニティに対して、重複領域を有して隣接している隣接コミュニティを示す隣接コミュニティリストを保持する保持手段とを備える受信装置の受信方法において、
前記受信装置による、
前記コミュニティを指定する指定ステップと、
指定された前記コミュニティおよび前記指定された前記コミュニティに隣接する隣接コミュニティをリストアップした重複リストを生成する重複リスト生成ステップと、
前記受信手段に受信させるチャンネルを選局し、選局したチャンネルの放送信号の受信の可否を判定する選局ステップと、
前記重複リストにリストアップされた前記コミュニティにおいて放送されているチャンネルの放送信号の受信の可否の判定結果に基づき、受信可能なチャンネルを示す受信チャンネルリストを生成する受信チャンネルリスト生成ステップと
を含む受信方法。
【請求項１０】
選局されたチャンネルの放送信号を受信する受信手段と、
１チャンネル以上の前記放送信号が受信可能とされている範囲を示すコミュニティ毎に、前記コミュニティにおいて放送されている１以上のチャンネルと、前記１以上のチャンネルのうちの代表チャンネルを示す情報とが記録されている放送チャンネルリスト、および、前記各コミュニティに対して、重複領域を有して隣接している隣接コミュニティを示す隣接コミュニティリストを保持する保持手段とを備える受信装置の制御用のプログラムであって、
前記コミュニティを指定する指定ステップと、
指定された前記コミュニティおよび前記指定された前記コミュニティに隣接する隣接コミュニティをリストアップした重複リストを生成する重複リスト生成ステップと、
前記受信手段に受信させるチャンネルを選局し、選局したチャンネルの放送信号の受信の可否を判定する選局ステップと、
前記重複リストにリストアップされた前記コミュニティにおいて放送されているチャンネルの放送信号の受信の可否の判定結果に基づき、受信可能なチャンネルを示す受信チャンネルリストを生成する受信チャンネルリスト生成ステップと
を含む処理を受信装置のコンピュータに実行させるプログラム。
【発明の詳細な説明】
【技術分野】
【０００１】
本発明は、受信装置、受信方法、およびプログラムに関し、特に、例えば、米国における地上デジタル放送を受信する場合に用いて好適な受信装置、受信方法、およびプログラムに関する。
【背景技術】
【０００２】
テレビジョン放送は、放送信号のチャンネル（周波数）が地域によって異なっている。したがって、ある地域において受信可能であったチャンネルが、他の地域では受信不可能であることがある。
【０００３】
一方、例えば、自動車に搭載したり、ユーザが持ち運びしたりする小型、軽量の携帯型テレビジョン受像機は、利用される場所、すなわち、受信場所が頻繁に変更される可能性が高い。
【０００４】
携帯型テレビジョン受像機には、現在地の位置情報を取得する機能を有するとともに、各受信地域に対応した受信チャンネルリストを予め保持し、取得した位置情報が示す現在地の属する受信地域を特定し、特定した受信地域に対応する受信チャンネルリストを取得するものがある。ここで、受信チャンネルリストとは、対応する受信地域において受信可能なチャンネルだけが記載されているものである。受信チャンネルリストは、例えば、ユーザからチャンネルアップ／ダウン操作が行われたことに応じ、受信チャンネルリストに含まれるチャンネル間でのみ、チャンネルを切り替える場合などに利用される。
【０００５】
なお、現在地の位置情報を取得する機能としては、例えば、GPS(Global Positioning System)信号を利用する方法、あるいは、ナビゲーションシステムによって得られた位置情報を流用する方法がある（例えば、特許文献１参照）。
【０００６】
上述したように、現在地に応じた受信チャンネルリストを取得する方法は、例えば、日本における地上デジタル放送を受信する場合には有効である。すなわち、日本における地上デジタル放送では、通常、受信地域が県単位で設定されており、取得された現在地の位置情報に基づいて、一意に受信地域を特定することができるからである。
【０００７】
しかしながら、米国における地上デジタル放送を受信する場合、上述した方法は必ずしも適切ではない。すなわち、米国における地上デジタル放送では、受信地域の設定に基準（例えば、日本における県単位など）がなく、取得された現在地の位置情報から一意に受信地域を特定することができないことに加え、受信地域に重複が生じているからである。
【０００８】
ここで、米国における地上デジタル放送について説明する。
【０００９】
図１は、米国における地上デジタル放送の使用周波数帯を示している。すなわち、CH（チャンネル）２からCH１３までがVHF帯を用いて送信されており、CH１４からCH５１までがUHFを用いて送信されている。
【００１０】
上述したように、米国における地上デジタル放送を受信する場合、現在地に応じて受信チャンネルリストを取得することができないので、例えば図２に示すように、全てのチャンネルCH２からch５１までを順に選局して受信の可否を判定（以下、全チャンネルスキャンと称する）し、この判定結果に基づいて、受信チャンネルリストを生成する必要がある。この全チャンネルスキャンでは、各チャンネルにおいて受信の可否を判定するので、全チャンネルスキャンの終了までにかなりの時間を要してしまい、ユーザに不便を強いることになる。
【００１１】
図３は、米国における、上述した受信地域に相当するコミュニティの一例を示している。コミュニティには、１以上の放送局（以下、ステーションとも称する）が属している。ただし、コミュニティに属する全ての放送局からの放送信号がコミュニティの全域に亘って受信できるわけではない。
【００１２】
すなわち、コミュニティに属する全ての放送局のうち、最もカバーエリア（受信可能範囲）の広い放送局（以下、代表局と称する）のカバーエリアがコミュニティの範囲と一致する。なお、各放送局のカバーエリアは、必ずしも円あるいは楕円であるわけではなく、所定の方向に対して指向性を有していることがある。
【００１３】
例えば、図３に示すコミュニティＣ１には、３つステーションＡ，Ｂ，Ｃが属しており、このうち、カバーエリアが最も広いステーションＡが代表局となっている。ステーションＢのカバーエリアは、ステーションＡのそれよりも狭い。ステーションＣのカバーエリアは指向性を有している。
【００１４】
【特許文献１】特開平７−２８４０３０号公報
【発明の開示】
【発明が解決しようとする課題】
【００１５】
図４は、米国における地上デジタル放送のコミュニティの配置の一例を示している。同図に示すように、各コミュニティは、他のコミュニティと重複していることがある。したがって、例えば、図４のコミュニティＣ１，Ｃ２，Ｃ３の３つのコミュニティが重複している位置においてテレビジョン放送を受信した場合、コミュニティＣ１，Ｃ２，Ｃ３のそれぞれに属するステーションからの放送信号を受信できる可能性がある。
【００１６】
したがって、仮に現在地の位置情報から一意にコミュニティＣ１に属すると特定してしまった場合、コミュニティＣ２，Ｃ３のステーションからの放送信号を受信可能であるにも拘わらず、これ（コミュニティＣ２，Ｃ３の放送信号）を有効に利用できない可能性がある。
【００１７】
本発明はこのような状況に鑑みてなされたものであり、例えば、米国の地上デジタル放送のように、現在地が属するコミュニティを一意に特定できない場合において、現在地で受信可能なチャンネルをできるだけ速やかに判別できるようにするものである。
【課題を解決するための手段】
【００１８】
本発明の一側面である受信装置は、選局されたチャンネルの放送信号を受信する受信手段と、１チャンネル以上の前記放送信号が受信可能とされている範囲を示すコミュニティ毎に、前記コミュニティにおいて放送されている１以上のチャンネルと、前記１以上のチャンネルのうちの代表チャンネルを示す情報とが記録されている放送チャンネルリスト、および、前記各コミュニティに対して、重複領域を有して隣接している隣接コミュニティを示す隣接コミュニティリストを保持する保持手段と、前記コミュニティを指定する指定手段と、指定された前記コミュニティおよび前記指定された前記コミュニティに隣接する隣接コミュニティをリストアップした重複リストを生成する重複リスト生成手段と、前記受信手段に受信させるチャンネルを選局し、選局したチャンネルの放送信号の受信の可否を判定する選局手段と、前記重複リストにリストアップされた前記コミュニティにおいて放送されているチャンネルの放送信号の受信の可否の判定結果に基づき、受信可能なチャンネルを示す受信チャンネルリストを生成する受信チャンネルリスト生成手段とを含む。
【００１９】
前記代表チャンネルは、前記コミュニティ内で受信可能範囲が最も広いチャンネルであるようにすることができる。
【００２０】
前記重複リスト生成手段は、さらに、前記代表チャンネルの放送信号が受信できない前記隣接コミュニティを前記重複リストから削除するようにすることができる。
【００２１】
前記隣接コミュニティリストには、前記各コミュニティに対して、前記重複領域が広い順に前記隣接コミュニティが記載されているようにすることができる。
【００２２】
前記指定手段は、ユーザ選択操作に応じて前記コミュニティを指定するようにすることができる。
【００２３】
本発明の一側面である受信装置は、直前において前記放送信号が受信可能であったチャンネル、直前に前記放送信号を受信していたチャンネル、過去における受信頻度が高い前記コミュニティの前記代表チャンネル、過去における受信頻度が高いチャンネル、または全ての前記コミュニティにおいてアサイン率が高いチャンネルのうち、少なくとも１つをリストアップして初期探索リストを作成する初期探索リスト生成手段をさらに含むことができ、前記指定手段は、初期探索リストにリストアップされている前記チャンネルに対応する前記コミュニティを指定するようにすることができる。
【００２４】
前記指定手段は、初期探索リストにリストアップされている前記チャンネルの放送信号に含まれるコミュニティ識別情報に基づいて、前記コミュニティ識別情報を指定するようにすることができる。
【００２５】
前記重複リスト生成手段は、さらに、前記代表チャンネルの放送信号が受信できた前記隣接コミュニティに対する隣接コミュニティでもある隣接コミュニティ以外を前記重複リストから削除するようにすることができる。
【００２６】
本発明の一側面である受信方法は、選局されたチャンネルの放送信号を受信する受信手段と、１チャンネル以上の前記放送信号が受信可能とされている範囲を示すコミュニティ毎に、前記コミュニティにおいて放送されている１以上のチャンネルと、前記１以上のチャンネルのうちの代表チャンネルを示す情報とが記録されている放送チャンネルリスト、および、前記各コミュニティに対して、重複領域を有して隣接している隣接コミュニティを示す隣接コミュニティリストを保持する保持手段とを備える受信装置の受信方法において、前期受信装置による、前記コミュニティを指定する指定ステップと、指定された前記コミュニティおよび前記指定された前記コミュニティに隣接する隣接コミュニティをリストアップした重複リストを生成する重複リスト生成ステップと、前記受信手段に受信させるチャンネルを選局し、選局したチャンネルの放送信号の受信の可否を判定する選局ステップと、前記重複リストにリストアップされた前記コミュニティにおいて放送されているチャンネルの放送信号の受信の可否の判定結果に基づき、受信可能なチャンネルを示す受信チャンネルリストを生成する受信チャンネルリスト生成ステップとを含む。
【００２７】
本発明の一側面であるプログラムは、選局されたチャンネルの放送信号を受信する受信手段と、１チャンネル以上の前記放送信号が受信可能とされている範囲を示すコミュニティ毎に、前記コミュニティにおいて放送されている１以上のチャンネルと、前記１以上のチャンネルのうちの代表チャンネルを示す情報とが記録されている放送チャンネルリスト、および、前記各コミュニティに対して、重複領域を有して隣接している隣接コミュニティを示す隣接コミュニティリストを保持する保持手段とを備える受信装置の制御用のプログラムであって、前記コミュニティを指定する指定ステップと、指定された前記コミュニティおよび前記指定された前記コミュニティに隣接する隣接コミュニティをリストアップした重複リストを生成する重複リスト生成ステップと、前記受信手段に受信させるチャンネルを選局し、選局したチャンネルの放送信号の受信の可否を判定する選局ステップと、前記重複リストにリストアップされた前記コミュニティにおいて放送されているチャンネルの放送信号の受信の可否の判定結果に基づき、受信可能なチャンネルを示す受信チャンネルリストを生成する受信チャンネルリスト生成ステップとを含む処理を受信装置のコンピュータに実行させる。
【００２８】
本発明の一側面においては、コミュニティが指定され、指定された前記コミュニティおよび前記指定された前記コミュニティに隣接する隣接コミュニティをリストアップした重複リストが生成され、前記重複リストにリストアップされた前記コミュニティにおいて放送されているチャンネルの放送信号の受信の可否の判定結果に基づき、受信可能なチャンネルを示す受信チャンネルリストが生成される。
【発明の効果】
【００２９】
本発明の一側面によれば、例えば、米国の地上デジタル放送のように、現在地が属するコミュニティを一意に特定できない場合において、現在地で受信可能なチャンネルをできるだけ速やかに判別することが可能となる。
【発明を実施するための最良の形態】
【００３０】
以下、発明を実施するための最良の形態（以下、実施の形態と称する）について、図面を参照しながら詳細に説明する。なお、説明は、以下の順序で行なう。
１．第１の実施の形態
【００３１】
＜１．第１の実施の形態＞
［携帯型テレビジョン受像機の構成例］
図５は、本発明の一実施の形態である携帯型テレビジョン受像機の構成例を示している。この携帯型テレビジョン受像機１０は、米国における地上デジタル放送の受信、視聴を想定したものである。
【００３２】
この携帯型テレビジョン受像機１０は、制御部１１、操作入力部１２、メモリ１３、アンテナ１４、受信部１５、デコーダ１６、ディスプレイ１７、およびスピーカ１８から構成される。
【００３３】
制御部１１は、操作入力部１２から入力される操作信号に応じ、携帯型テレビジョン受像機１０の全体を制御する。例えば、制御部１１は、受信部１５で受信するチャンネルを指定する選局制御を行う。また例えば、制御部１１は、受信部１５から通知される受信可否情報に基づいて受信チャンネルリストを生成する。なお、制御部１１の詳細な構成例については、図８および図１０を参照して後述する。
【００３４】
操作入力部１２は、ユーザからの各種操作を受け付けて、対応する操作信号を制御部１２に出力する。例えば、操作入力部１２は、ユーザに対して、現在地が属していると考えられるコミュニティを選択させ、選択されたコミュニティを特定する情報を含む操作信号を制御部１１に出力する。
【００３５】
メモリ１３は、不揮発性メモリであり、放送チャンネルリスト２１、および隣接コミュニティリスト２２が予め保持されている。なお、更新された最新の放送チャンネルリスト２１および隣接コミュニティリスト２２を、何らかの方法によって携帯型テレビジョン受像機１０に供給し、メモリ１３に保持されている放送チャンネルリスト２１および隣接コミュニティリスト２２を更新するようにしてもよい。
【００３６】
更新された最新の放送チャンネルリスト２１および隣接コミュニティリスト２２を携帯型テレビジョン受像機１０に供給する方法としては、例えば放送信号を用いて供給したり、インタネットなどのネットワークを介して供給したり、あるいは、記録メディアを用いて供給したりするようにしてもよい。
【００３７】
また、メモリ１３には、制御部１１で生成される受信チャンネルリスト２３が保持される。この受信チャンネルリスト２３は、例えば、ユーザからチャンネルアップ／ダウン操作が行われたことに応じ、受信チャンネルリスト２３に含まれるチャンネル間でのみ、チャンネルを切り替える場合などに利用される。
【００３８】
受信部１５は、制御部１１が選局したチャンネルの受信の可否を判定し、判定結果を示す受信可否情報を制御部１１に通知する。また、受信部１５は、アンテナ１４を介して入力される放送信号のうち、制御部１１が選局したチャンネルの放送信号を抽出してデコーダ１６に出力する。
【００３９】
デコーダ１６は、受信部１５から入力される１チャンネル分の放送信号をデコードし、その結果得られる映像信号と音声信号をディスプレイ１７またはスピーカ１８に出力する。ディスプレイ１７は、デコーダ１６から入力される映像信号に基づく画面を表示する。スピーカ１８は、デコーダ１６から入力される音声信号に基づく音声を出力する。
【００４０】
図６は、メモリ１３に予め保持されている放送チャネルリスト２１の一例を示している。放送チャネルリスト２１には、各コミュニティに対し、所属している１以上のステーション（放送局）の識別情報とそのチャンネル（放送周波数）、および１以上の放送局のうちでカバーエリア（受信可能範囲）が最大である代表局を示す代表局情報が記載されている。代表局情報としては、例えば１ビットを割り当て、代表局に対しては１を、その他には０を記載するようにしてもよい。
【００４１】
図６の場合、例えば、コミュニティＣ１には５つのステーションST１，ST２，ST３，ST４，ST５，ST６が属しており、各ステーションの放送周波数がそれぞれ順にCH８、コンテンツＨ２３，CH２９，CH３５，CH４２であることを示している。また、コミュニティＣ１の代表局は、ステーションST１であることを示している。
【００４２】
また例えば、コミュニティＣ２には３つのステーションST６，ST７，ST８が属しており、各ステーションの放送周波数がそれぞれ順にCH１８，CH２７，CH３８であることを示している。また、コミュニティＣ２の代表局は、ステーションST７であることを示している。コミュニティＣ３以降についても同様である。
【００４３】
図７は、メモリ１３に予め保持されている隣接コミュニティリスト２２の一例を示している。同図の隣接コミュニティリスト２２は、図４に示されたコミュニティの配置例に対応するものである。
【００４４】
隣接コミュニティリスト２２には、各コミュニティに対し、重複領域を有する隣接コミュニティが、重複領域の面積が広い順に記載されている。
【００４５】
図７の場合、例えば、コミュニティＣ１に対しては、コミュニティＣ３，Ｃ２，Ｃ４，Ｃ５，Ｃ６が重複領域を有しており、コミュニティＣ３との重複領域の面積が最も広く、コミュニティＣ６との重複領域の面積が最も狭いことを示している。
【００４６】
また例えば、コミュニティＣ２に対しては、コミュニティＣ１，Ｃ５，Ｃ３，Ｃ１０が重複領域を有しており、コミュニティＣ１との重複領域の面積が最も広く、コミュニティＣ１０との重複領域の面積が最も狭いことを示している。コミュニティＣ３以降についても同様である。
【００４７】
［制御部１１の第１の構成例］
次に、図８は、制御部１１の第１の構成例を示している。
【００４８】
制御部１１の第１の構成例は、コミュニティ指定部５１、選局部５２、重複リスト生成部５３、および受信チャンネルリスト生成部５４から構成される。
【００４９】
コミュニティ指定部５１は、受信可能なチャンネルを探索してリスト化する処理（以下、受信チャンネルリスト生成処理と称する）の初期段階において、ユーザからの選択操作にしたがって、１つのコミュニティを指定し、選局部５２および重複リスト生成部５３に通知する。このときのユーザによる選択操作は、現在地（携帯型テレビジョン受像機１０の利用（受信）位置）が属しているとユーザが考えるコミュニティを選択するものとする。
【００５０】
選局部５２は、メモリ１３に保持されている放送チャンネルリスト２１を参照することにより、指定されたコミュニティに所属するステーションのチャンネルを選局するように受信部１５を制御する。また、選局部５２は、重複リスト生成部５３によって生成された重複リスト（後述）に含まれるコミュニティに所属するステーションのチャンネルを選局するように受信部１５を制御する。さらに、選局部５２は、選局制御に応じて受信部１５から通知される受信可否情報（各チャンネルの受信の可否を示す情報）の内容に応じて重複リスト生成部５３または受信チャンネルリスト生成部５４を制御する。
【００５１】
重複リスト生成部５３は、選局部５２からの制御に従い、メモリ１３に保持されている隣接コミュニティリスト２２を参照して重複リストを生成する。ここで、重複リストとは、現在地が重複して属している可能性のあるコミュニティのリストであり、コミュニティ指定部５１によって指定されたコミュニティも含まれる。
【００５２】
受信チャンネルリスト生成部５４は、選局部５２からの制御に従い、受信チャンネルリスト２３を生成してメモリ１３に保持させる。
【００５３】
［制御部１１の第１の構成例による動作説明］
図９は、制御部１１の第１の構成例による受信チャンネルリスト生成処理を説明するフローチャートである。
【００５４】
この受信チャンネルリスト生成処理は、例えば、携帯型テレビジョン受像機１０の利用（受信）位置を、属するコミュニティが変更される程度に移動したと考えるユーザからの開始指示に従って開始される。あるいは、例えば、GPS信号などに基づいて現在地を検出する機能を設けるようにし、携帯型テレビジョン受像機１０の利用（受信）位置が、属するコミュニティが変更される程度に移動されたことを検出した場合、当該受信チャンネルリスト生成処理を開始するようにしてもよい。
【００５５】
ステップＳ１において、操作入力部１２は、ユーザに対して、現在地が属していると考えられるコミュニティを選択させ、選択されたコミュニティを特定する情報を含む操作信号を制御部１１のコミュニティ指定部５１に出力する。これに応じて、コミュニティ指定部５１は、ユーザの選択に対応する１つのコミュニティを指定して、選局部５２および重複リスト生成部５３に通知する。
【００５６】
ステップＳ２において、選局部５２は、メモリ１３に保持されている放送チャンネルリスト２１を参照することにより、指定されたコミュニティに所属するステーションのチャンネルのうち、代表局を選局するように受信部１５を制御する。この制御に応じ、受信部１５は、選局部５２によって選局制御されたチャンネルの受信の可否を判定し、判定結果を示す受信可否情報を制御部１１の選局部５２に通知する。
【００５７】
さらに、選局部５２は、受信部１５からの受信可否情報に基づき、指定されたコミュニティの代表局が受信できたか否かを判定する。ここで、指定されたコミュニティの代表局が受信できなかったと判定された場合、処理はステップＳ３に進められ、ユーザに対して代表局が受信できなかった旨とコミュニティの再選択が通知される。この後、処理はステップＳ１に戻されて、それ以降が繰り返される。
【００５８】
ステップＳ２において、指定されたコミュニティの代表局が受信できたと判定された場合、処理はステップＳ４に進められる。
【００５９】
ステップＳ４において、重複リスト生成部５３は、選局部５２の制御に従い、メモリ１３に保持されている隣接コミュニティリスト２２を参照し、指定されたコミュニティに対して重複領域を有する隣接コミュニティを、その重複領域の面積順に優先順位をつけてリスト化することにより重複リストを生成する。なお、この重複リストには、指定されたコミュニティも優先順位の最上位に含まれているものとする。
【００６０】
ステップＳ５において、選局部５２は、生成された重複リストに含まれている全ての隣接コミュニティを選択したか否かを判定し、選択していないものが残っている場合、処理をステップＳ６に進める。
【００６１】
ステップＳ６において、選局部５２は、生成された重複リストに含まれる隣接コミュニティのうち、選択されていないものをその優先順位に従って１つずつ選択する。ただし、重複リストの最上位のコミュニティは、ステップＳ１において指定されたものであるので選択済みとみなし、優先順位が２番目以降のものを選択することになる。
【００６２】
ステップＳ７において、選局部５２は、ステップＳ６で選択した隣接コミュニティの代表局が受信できるか否かを判定する。具体的には、選局部５２は、メモリ１３に保持されている放送チャンネルリスト２１を参照することにより、選択された隣接コミュニティに所属するステーションのチャンネルのうち、代表局を選局するように受信部１５を制御する。この制御に応じ、受信部１５は、選局部５２によって選局制御されたチャンネルの受信の可否を判定し、判定結果を示す受信可否情報を制御部１１の選局部５２に通知する。さらに、選局部５２は、受信部１５からの受信可否情報に基づき、選択された隣接コミュニティの代表局が受信できたか否かを判定する。
【００６３】
ステップＳ７において、選択された隣接コミュニティの代表局が受信できなかったと判定された場合、処理はステップＳ８に進められる。ステップＳ８において、重複リスト生成部５３は、選局部５２からの制御に従い、代表局が受信できなかった隣接コミュニティを重複リストから除外する。この後、処理はステップＳ５に戻り、それ以降が繰り返される。
【００６４】
反対に、ステップＳ７において、選択された隣接コミュニティの代表局が受信できたと判定された場合、処理はステップＳ９に進められる。ステップＳ９において、重複リスト生成部５３は、選局部５２からの制御に従い、メモリ１３に保持されている隣接コミュニティリスト２２を参照し、重複リストに含まれる隣接コミュニティのうち、代表局が受信できた隣接コミュニティに対する隣接コミュニティでもあるものだけを残して、それ以外を重複リストから除外する。この後、処理はステップＳ５に戻り、それ以降が繰り返される。
【００６５】
その後、ステップＳ５において、生成された重複リストに含まれている隣接コミュニティのうち、選択していないものが残っていないと判定された場合、処理はステップＳ１０に進められる。
【００６６】
ステップＳ１０において、選局部５２は、現在の重複リストに含まれているコミュニティ（すなわち、代表局が受信できたコミュニティ）の代表局以外のステーションが受信できるか否かを判定する。具体的には、選局部５２は、メモリ１３に保持されている放送チャンネルリスト２１を参照することにより、現在の重複リストに含まれている各コミュニティに所属するステーションのチャンネルを順に選局するように受信部１５を制御する。この制御に応じ、受信部１５は、選局部５２によって選局制御されたチャンネルの受信の可否を判定し、判定結果を示す受信可否情報を制御部１１の選局部５２に通知する。さらに、選局部５２は、受信部１５からの受信可否情報に基づき、受信できたステーションとそのチャンネルを受信チャンネルリスト生成部５４に通知する。
【００６７】
この通知に応じ、受信チャンネルリスト生成部５４は、現在地において受信可能なチャンネルのリストである受信チャンネルリスト２３を生成してメモリ１３に保持させる。以上で、受信チャンネルリスト生成処理は終了される。
【００６８】
［制御部１１の第２の構成例］
次に、図１０は、制御部１１の第２の構成例を示している。
【００６９】
制御部１１の第２の構成例は、図８に示された第１の構成例に、初期探索リスト生成部６１を設けたものである。初期探索リスト生成部６１以外の構成要素については、図８に示された第１の構成例の構成要素と共通であって、それらには同一の符番を付しているので、その説明は適宜省略する。
【００７０】
制御部１１の第２の構成例を実現するための前提として、放送信号には、その放送信号を送信したステーションが所属するコミュニティを識別できるコミュニティ識別情報が含まれているものとする。また、携帯型テレビジョン受像機１０において、過去の所定期間の受信履歴を保持しているものとする。
【００７１】
初期探索リスト生成部６１は、受信チャンネルリスト生成処理の初期段階において１つのコミュニティを指定する前段の処理として、受信できる可能性が高いチャンネルをリストアップした初期探索リストを生成する。
【００７２】
初期探索リストを生成するにあたっては、以下のチャンネルに優先順位をつけてリストアップするようにする。
（１）直前（今回、初期探索リストを生成するタイミングに最も近い以前）のスキャンにおいて受信可能であったチャンネル
（２）直前（今回、初期探索リストを生成するタイミングに最も近い以前）に視聴（受信）していたチャンネル
（３）過去における受信頻度が高い方から順に所定の数のコミュニティの代表局のチャンネル
（４）過去における受信頻度が高い方から順に所定の数のチャンネル
（５）全てのコミュニティにおいてアサイン率が高い方から順に所定の数のチャンネル（地域性があるチャンネルではなく、全国的に放送されているチャンネル）
【００７３】
上記（１）乃至（５）の優先順位については任意であるが、上記（１）における直前のスキャンからそれほど時間が経過していない（経過時間が所定の範囲内）である場合には、上記（１）に相当するチャンネルを優先順位の最上位にリストアップする。
【００７４】
生成された初期探索リストに基づいて選局部５２は、初期探索リストにリストアップされているチャンネルの受信の可否を判定する。コミュニティ指定部５２は、初期探索リストにリストアップされているチャンネルのうち、受信できたチャンネルの放送信号に基づいて、そのチャンネルの放送信号を送信したステーションが属するコミュニティを特定し、特定したコミュニティを、現在地が属すると考えられるコミュニティに指定する。
【００７５】
［制御部１１の第２の構成例による動作説明］
図１１は、制御部１１の第２の構成例による受信チャンネルリスト生成処理を説明するフローチャートである。
【００７６】
この受信チャンネルリスト生成処理は、例えば、携帯型テレビジョン受像機１０の利用（受信）位置を、属するコミュニティが変更される程度に移動したと考えるユーザからの開始指示に従って開始される。あるいは、例えば、GPS信号などに基づいて現在地を検出する機能を設けるようにし、携帯型テレビジョン受像機１０の利用（受信）位置が、属するコミュニティが変更される程度に移動されたことを検出した場合、当該受信チャンネルリスト生成処理を開始するようにしてもよい。
【００７７】
ステップＳ２１において、初期探索リスト生成部６１は、初期探索リストを生成する。
【００７８】
図１２は、初期探索リストを生成する処理の詳細を説明するフローチャートである。
【００７９】
ステップＳ４１において、初期探索リスト生成部６１は、直前のスキャンにおいて受信可能であったチャンネルを初期探索リストにリストアップする。ステップＳ４２において、初期探索リスト生成部６１は、直前に視聴（受信）していたチャンネルを初期探索リストにリストアップする。ステップＳ４３において、初期探索リスト生成部６１は、過去における受信頻度が高い方から順に所定の数のコミュニティの代表局のチャンネルを初期探索リストにリストアップする。ステップＳ４４において、初期探索リスト生成部６１は、過去における受信頻度が高い方から順に所定の数のチャンネルを初期探索リストにリストアップする。ステップＳ４５において、初期探索リスト生成部６１は、全てのコミュニティにおいてアサイン率が高い方から順に所定の数のチャンネルを初期探索リストにリストアップする。
【００８０】
なお、ステップＳ４１乃至Ｓ４５の実行順序は上述したものに限定されない。また、リストアップするときの各チャネルの優先順位についても任意である。ただし、直前のスキャンからそれほど時間が経過していない（経過時間が所定の範囲内）である場合には、直前のスキャンにおいて受信可能であったチャンネルを優先順位の最上位にリストアップする。
【００８１】
図１１に戻る。ステップＳ２２において、選局部５２は、生成された初期探索リストにリストアップされている１チャンネルを優先順位の高い方から順に選択し、選択したチャンネルを選局するように受信部１５を制御する。この制御に応じ、受信部１５は、選局部５２によって選局制御されたチャンネルの受信の可否を判定し、判定結果を示す受信可否情報を制御部１１の選局部５２に通知する。
【００８２】
ステップＳ２３において、選局部５２は、受信部１５からの受信可否情報に基づき、選局したチャンネルが受信できたか否かを判定し、選局したチャンネルが受信できたと判定するまで、ステップＳ２２に戻り、ステップＳ２２およびＳ２３の処理を繰り返す。ステップＳ２３において、選局したチャンネルが受信できたと判定された場合、処理はステップＳ２４に進められる。
【００８３】
ただし、初期探索リストにリストアップされている全てのチャンネルが受信できなかった場合、上述した図９のステップＳ１と同様に、ユーザに現在地のコミュニティを選択させ、選択させたコミュニティを指定するようにし、以下のステップＳ２４は省略するようにする。
【００８４】
ステップＳ２４において、選局部５２は、選局して受信できたチャンネルをコミュニティ指定部５１に通知する。コミュニティ指定部５１は、選局部５２から通知されたチャンネルの放送信号に含まれるコミュニティ識別情報に対応するコミュニティを、現在地が含まれていると考えられるコミュニティに指定する。
【００８５】
ステップＳ２５において、重複リスト生成部５３は、選局部５２の制御に従い、メモリ１３に保持されている隣接コミュニティリスト２２を参照し、指定されたコミュニティに対して重複領域を有する隣接コミュニティを、その重複領域の面積順に優先順位をつけてリスト化することにより重複リストを生成する。なお、この重複リストには、指定されたコミュニティも優先順位の最上位に含まれているものとする。
【００８６】
ステップＳ２６において、選局部５２は、生成された重複リストに含まれている全ての隣接コミュニティを選択したか否かを判定し、選択していないものが残っている場合、処理をステップＳ２７に進める。
【００８７】
ステップＳ２７において、選局部５２は、生成された重複リストに含まれる隣接コミュニティのうち、選択されていないものをその優先順位に従って１つずつ選択する。ただし、重複リストの最上位のコミュニティは、ステップＳ２４において指定されたものであるので選択済みとみなし、優先順位が２番目以降のものを選択することになる。
【００８８】
ステップＳ２８において、選局部５２は、ステップＳ２７で選択した隣接コミュニティの代表局が受信できるか否かを判定する。具体的には、選局部５２は、メモリ１３に保持されている放送チャンネルリスト２１を参照することにより、選択された隣接コミュニティに所属するステーションのチャンネルのうち、代表局を選局するように受信部１５を制御する。この制御に応じ、受信部１５は、選局部５２によって選局制御されたチャンネルの受信の可否を判定し、判定結果を示す受信可否情報を制御部１１の選局部５２に通知する。さらに、選局部５２は、受信部１５からの受信可否情報に基づき、選択された隣接コミュニティの代表局が受信できたか否かを判定する。
【００８９】
ただし、この代表局を選局するに際し、ステップＳ２２において既に選局されて受信の可否か判定されているものについては、その選局を省略し、ステップＳ２３の判定結果を流用するようにする。これにより、同一チャンネルの受信の可否を複数回行ってしまうことを防ぐことができる。
【００９０】
ステップＳ２８において、選択された隣接コミュニティの代表局が受信できなかったと判定された場合、処理はステップＳ２９に進められる。ステップＳ２９において、重複リスト生成部５３は、選局部５２からの制御に従い、代表局が受信できなかった隣接コミュニティを重複リストから除外する。この後、処理はステップＳ２６に戻り、それ以降が繰り返される。
【００９１】
反対に、ステップＳ２８において、選択された隣接コミュニティの代表局が受信できたと判定された場合、処理はステップＳ３０に進められる。ステップＳ３０において、重複リスト生成部５３は、選局部５２からの制御に従い、メモリ１３に保持されている隣接コミュニティリスト２２を参照し、重複リストに含まれる隣接コミュニティのうち、代表局が受信できた隣接コミュニティに対する隣接コミュニティでもあるものだけを残して、それ以外を重複リストから除外する。この後、処理はステップＳ２６に戻り、それ以降が繰り返される。
【００９２】
その後、ステップＳ２６において、生成された重複リストに含まれている隣接コミュニティのうち、選択していないものが残っていないと判定された場合、処理はステップＳ３１に進められる。
【００９３】
ステップＳ３１において、選局部５２は、現在の重複リストに含まれているコミュニティ（すなわち、代表局が受信できたコミュニティ）の代表局以外のステーションが受信できるか否かを判定する。
【００９４】
具体的には、選局部５２は、メモリ１３に保持されている放送チャンネルリスト２１を参照することにより、現在の重複リストに含まれている各コミュニティに所属するステーションのチャンネルを順に選局するように受信部１５を制御する。この制御に応じ、受信部１５は、選局部５２によって選局制御されたチャンネルの受信の可否を判定し、判定結果を示す受信可否情報を制御部１１の選局部５２に通知する。さらに、選局部５２は、受信部１５からの受信可否情報に基づき、受信できたステーションとそのチャンネルを受信チャンネルリスト生成部５４に通知する。
【００９５】
ただし、ここでの受信の可否判定に際し、ステップＳ２２において既に選局されて受信の可否か判定されているものについては、その選局を省略し、ステップＳ２３の判定結果を流用するようにする。これにより、同一チャンネルの受信の可否を複数回行ってしまうことを防ぐことができる。
【００９６】
選局部５２からの通知に応じ、受信チャンネルリスト生成部５４は、現在地において受信可能なチャンネルのリストである受信チャンネルリスト２３を生成してメモリ１３に保持させる。以上で、受信チャンネルリスト生成処理は終了される。
【００９７】
ここで、具体的な例を挙げて、受信チャンネルリスト生成処理を説明する。以下、図４のコミュニティＣ１，Ｃ２，Ｃ３が重複している領域において、携帯型テレビジョン受像機１０を利用しているものとする。
【００９８】
現在地の属するコミュニティとして、例えばコミュニティＣ２が指定されたとする（図９のステップＳ１、あるいは、図１１のステップＳ２４）。これに応じ、重複リストには、コミュニティＣ２とその隣接コミュニティＣ１，Ｃ５，Ｃ３，Ｃ１０がリストアップされる（図９のステップＳ４、あるいは、図１１のステップＳ２５）。
【００９９】
重複リストから、はじめに、隣接コミュニティＣ１が選択され、コミュニティＣ１の代表局であるステーションST１のCH８が受信可能と判断される（図９のステップＳ６およびＳ７、あるいは、図１１のステップＳ２７およびＳ２８）。そして、重複リストにリストアップされている、コミュニティＣ２とその隣接コミュニティＣ１，Ｃ５，Ｃ３，Ｃ１０のうち、コミュニティＣ１の隣接コミュニティでもあるコミュニティＣ５，Ｃ３が残され、コミュニティＣ１０が重複リストから削除される（図９のステップＳ９、あるいは、図１１のステップＳ３０）。よって、現状の重複リストには、コミュニティＣ２，Ｃ１，Ｃ５，Ｃ３がリストアップされていることになる。
【０１００】
再び、重複リストから、隣接コミュニティＣ５が選択され、コミュニティＣ５の代表局であるステーションST１３のCH１６が受信不可能と判断される（図９のステップＳ７、あるいは、図１１のステップＳ２８）。そして、重複リストからコミュニティＣ５が削除される（図９のステップＳ８、あるいは、図１１のステップＳ２９）。よって、現状の重複リストには、コミュニティＣ２，Ｃ１，Ｃ３がリストアップされていることになる。
【０１０１】
さらに、重複リストから、隣接コミュニティＣ３が選択され、コミュニティＣ３の代表局であるステーションST９のCH３３が受信可能と判断される（図９のステップＳ７、あるいは、図１１のステップＳ２８）。そして、重複リストにリストアップされている、コミュニティＣ２，Ｃ１，Ｃ３のうち、コミュニティＣ３の隣接コミュニティでもあるコミュニティＣ２，Ｃ１が残される（図９のステップＳ９、あるいは、図１１のステップＳ３０）。よって、現状の重複リストには、コミュニティＣ２，Ｃ１，Ｃ３がリストアップされていることになる。
【０１０２】
現状の重複リストにリストアップされているコミュニティは全て選択済みであるので、現状の重複リストにリストアップされているコミュニティＣ２，Ｃ１，Ｃ３の代表局以外のステーションの受信の可否が判定されて、この判定結果に応じて受信チャンネルリスト２３が生成される。
【０１０３】
以上説明したように、受信チャンネルリスト生成処理によれば、全チャンネルスキャンを実行する場合に比較して、受信の可否を判定するチャンネル数が少ないので、速やかに受信チャンネルリスト２３を生成することができる。
【０１０４】
なお、本発明は、テレビジョン受像機に限らず、複数のチャンネルを用いて放送されている放送信号を受信する受信装置に適用することが可能である。
【０１０５】
ところで、上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能なコンピュータなどに、プログラム記録媒体からインストールされる。
【０１０６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０７】
また、プログラムは、１台のコンピュータにより処理されるものであってもよいし、複数のコンピュータによって分散処理されるものであってもよい。さらに、プログラムは、遠方のコンピュータに転送されて実行されるものであってもよい。
【０１０８】
なお、本発明の実施の形態は、上述した実施の形態に限定されるものではなく、本発明の要旨を逸脱しない範囲において種々の変更が可能である。
【図面の簡単な説明】
【０１０９】
【図１】米国における地上デジタル放送の使用周波数を示す図である。
【図２】全チャンネルスキャンを説明するための図である。
【図３】米国における地上デジタル放送のコミュニティの一例を示す図である。
【図４】米国における地上デジタル放送のコミュニティの配置の一例を示す図である。
【図５】本発明を適用した携帯型テレビジョン受像機の構成例を示すブロック図である。
【図６】放送チャンネルリストの一例を示す図である。
【図７】隣接コミュニティリストの一例を示す図である。
【図８】図５の制御部の第１の構成例を示すブロック図である。
【図９】制御部の第１の構成例による受信チャンネルリスト生成処理を説明するフローチャートである。
【図１０】図５の制御部の第２の構成例を示すブロック図である。
【図１１】制御部の第２の構成例による受信チャンネルリスト生成処理を説明するフローチャートである。
【図１２】図１１のステップＳ２１の処理を説明するフローチャートである。
【符号の説明】
【０１１０】
１０  携帯型テレビジョン受像機,  １１  制御部,  １２  操作入力部,  １３  メモリ，  １４  アンテナ，  １５  受信部，  １６  デコーダ，  １７  ディスプレイ，  １８  スピーカ，  ２１  放送チャンネルリスト，  ２２  隣接コミュニティリスト，  ２３  受信チャンネルリスト，  ５１  コミュニティ指定部，  ５２  選局部，  ５３  重複リスト生成部，  ５４  受信チャンネルリスト生成部，  ６１初期探索リスト生成部
【図１】
2010147782.tif 000003
【図２】
2010147782.tif 000004
【図３】
2010147782.tif 000005
【図４】
2010147782.tif 000006
【図５】
2010147782.tif 000007
【図６】
2010147782.tif 000008
【図７】
2010147782.tif 000009
【図８】
2010147782.tif 000010
【図９】
2010147782.tif 000011
【図１０】
2010147782.tif 000012
【図１１】
2010147782.tif 000013
【図１２】
2010147782.tif 000014